(57)【要約】      （修正有）【課題】高い耐衝撃性と耐引っ掻き性をもち、対費用効果の高い改良腕時計を提供する。【解決手段】ケース１１と、このケースに固定したバックプレート１９と、可動部材保持リングと、この可動部材保持リングによって囲まれかつ支持された可動部材２３と、上記ケースおよび上記可動部材保持リングとの間に設けられるとともに、これらに係合する弾性ショック吸収リングとにより腕時計を構成する。【選択図】図１
0003155568.tif 000002
【実用新案登録請求の範囲】
【請求項１】
ケースと、このケースに固定したバックプレートと、可動部材保持リングと、この可動部材保持リングによって囲まれかつ支持された可動部材と、上記ケースおよび上記可動部材保持リングとの間に設けられるとともに、これらに係合する弾性ショック吸収リングと、上記バックプレートと上記可動部材の両者の間に設けられるとともに、これらに係合する弾性力吸収ディスクとを有することを特徴とする腕時計。
【請求項２】
さらに、レンズと、このレンズと上記ケースとの間に設けられるとともに、これらに係合する弾性レンズ保持リングとを有する請求項１に記載の腕時計。
【請求項３】
上記レンズが、外側の耐引っ掻き性層と、この外側の耐引っ掻き性層に積層された内側の強化層とを有する請求項２に記載の腕時計。
【請求項４】
さらに、上記ケースに取り付けられ、上記レンズ保持リングを隠すベズルを有する請求項３に記載の腕時計。
【請求項５】
上記ベズルを、上記ケースよりも硬い材料で構成した請求項４に記載の腕時計。
【請求項６】
上記ベズルを３０４Ｌステンレス鋼で構成し、そして上記ケースを３１６Ｌステンレス鋼で構成した請求項５に記載の腕時計。
【請求項７】
上記可動部材保持リングを真鍮で構成した請求項１に記載の腕時計。
【請求項８】
上記弾性力吸収ディスクを発泡ＥＶＡで構成した請求項１に記載の腕時計。
【請求項９】
上記弾性ショック吸収リングをゴムで構成した請求項１に記載の腕時計。
【請求項１０】
上記弾性レンズ保持リングをゴムで構成した請求項２に記載の腕時計。
【請求項１１】
さらに、上記可動部材保持リングの周囲に係合する文字盤を有し、そして上記可動部材が、この文字盤を貫通する中心同心シャフトを有するとともに、さらに、各シャフトにプレス加工された電気メッキ金属からなる長短針を有するアナログ可動部材である請求項１に記載の腕時計。
【請求項１２】
さらに、上記文字盤上で上記ケースに係合する環状部を有する請求項１１に記載の腕時計。
【考案の詳細な説明】
【技術分野】
【０００１】
本考案は、腕時計に関する。より具体的には、とはいっても限定するものではないが、高い耐衝撃性について設計したスポーツ用腕時計に関する。
【考案の開示】
【考案が解決しようとする課題】
【０００２】
本考案の目的は、高い耐衝撃性と耐引っ掻き性をもち、対費用効果の高い改良腕時計を提供することである。
【課題を解決するための手段】
【０００３】
本考案は、ケースと、このケースに固定したバックプレートと、可動部材保持リングと、この可動部材保持リングによって囲まれかつ支持された可動部材と、上記ケースおよび上記可動部材保持リングとの間に設けられるとともに、これらに係合する弾性ショック吸収リングと、上記バックプレートと上記可動部材の両者の間に設けられるとともに、これらに係合する弾性力吸収ディスクとを有する腕時計を提供するものである。
【０００４】
本考案の腕時計の場合、さらに、レンズと、このレンズと上記ケースとの間に設けられるとともに、これらに係合する弾性レンズ保持リングとを有することが好ましい。
【０００５】
上記レンズの場合、外側の耐引っ掻き性層と、この外側の耐引っ掻き性層に積層された内側の強化層とを有することが好ましい。
【０００６】
本考案の腕時計の場合、さらに、上記ケースに取り付けられ、上記レンズ保持リングを隠すベズルを有することが好ましい。
【０００７】
上記ベズルの場合、上記ケースよりも硬い材料で構成することが好ましい。
【０００８】
また、上記ベズルを３０４Ｌステンレス鋼で構成し、そして上記ケースを３１６Ｌステンレス鋼で構成することが好ましい。
【０００９】
上記可動部材保持リングの場合、真鍮で構成することが好ましい。
【００１０】
上記弾性力吸収ディスクの場合、発泡ＥＶＡで構成するのが好ましい。
【００１１】
上記弾性ショック吸収リングの場合、ゴムで構成するのが好ましい。
【００１２】
上記弾性レンズ保持リングの場合、ゴムで構成するのが好ましい。
【００１３】
上記本考案の腕時計の場合、さらに、上記可動部材保持リングの周囲に係合する文字盤を有し、そして上記可動部材が、この文字盤を貫通する中心同心シャフトを有するとともに、さらに、各シャフトにプレス加工された電気メッキ金属からなる長短針を有するアナログ可動部材であることが好ましい。
【００１４】
上記本考案の腕時計の場合、さらに、上記文字盤上で上記ケースに係合する環状部を有することが好ましい。
【図面の簡単な説明】
【００１５】
【図１】腕時計の概略横断面図である。
【考案を実施するための形態】
【００１６】
図１は、腕時計１０を示す概略図である。腕時計１０は、例えば３１６Ｌステンレス鋼で構成した厚みのある壁を有するケース１１からなる。そして、それ自体は、組み立てを容易にする精密加工をしやすい。ケース１１は、引っ張り強度の強いレザー製リストストラップを取り付けることになるリストストラップピンを受ける受け取り部２７をもつ。
【００１７】
ケース１１の背部に、ケース１１にねじ固定されて、腕時計の耐水性化に寄与するゴム製のｏ−リング２０を圧縮するバックプレート１９をシールする。例えば、バックプレート１９は、ケース１１と同じ品質のステンレス鋼で構成することができる。
【００１８】
ケース１１内部に、例えば機械加工真鍮である環状の可動ホルダー２１を設ける。可動ホルダー２１は、環状のゴム製分離装置２２によってケース１１およびバックプレート１９から分離される。分離装置２２は、可動ホルダー２１の下を通って、これをバックプレートから分離するとともに、可動ホルダー２１の周囲に延設され、これをケース１１から分離する。
【００１９】
石英製のアナログ可動部材２３は、これを完全に取り囲む可動ホルダー２１によって設ける。力吸収パッド２４は、可動部材２３およびバックプレート１９に当接する。可動部材２３の３つの同心シャフト２５が文字盤１５を貫通し、３つの長短針１４が各シャフトに固定される。文字盤１５の周囲の下面が可動ホルダー２１に当接するとともに、ケース１１に係合する環状リング２６が文字盤１５の周囲の上面部に当接する。文字盤および／または環状リングは、例えば、その上に接着性の強い印刷塗料で時刻表示を印刷する。
【００２０】
長短針１４は、アルミニウムなどの軽量材料で構成する。例えば、長短針は、シャフト２５にぴったりフィットするように、薄くニッケルをメッキする。軽量の長短針は、時計作動時の慣性が小さく、長短針が衝撃を受けたときに外れる恐れを最小限に抑えることができる。
【００２１】
文字盤１５の上には、例えばサファイアからなる耐引っ掻き性の外側層１８からなる積層レンズを設ける。サファイア層の下により価格の安い硬化ガラス層１６を設けるとともに、これらの間にプラスチック１７を積層する。耐衝撃性の高いゴム製レンズホルダー１３によってレンズの周囲をケース１１にシールする。レンズホルダー１３の上部リップ２７は、サファイア層１８の上面の小さな周辺部分間にあり、また下部リップ２８は硬化層１６の底面の小さな周辺部分間にある。小さなリップ２９は、レンズホルダー１３の外側にあり、環状の溝内において腕時計ケース１１に嵌合する。これらリップ２７、２８および２９は、腕時計を耐水化するだけでなく、衝撃時にケース１１からレンズを緩衝することに寄与する。
【００２２】
ケース１１にねじ固定するベズル１２は、３０４Ｌステンレス鋼などの高い耐衝撃性をもち、非常に固い金属で構成する。このベズル１２は、レンズホルダー１３を目につかないようにするものである。
【００２３】
なお、当業者にとって自明な変更などは、本考案の範囲を超えるものではない。例えば、具体的に述べたゴムの代わりに、他の弾性および／または耐水性材料を使用することが可能である。
【産業上の利用可能性】
【００２４】
本考案は、具体的にはスポーツ用耐衝撃性腕時計として利用できる。
【符号の説明】
【００２５】
１０：腕時計
１１：ケース
１２：ベズル
１３：レンズホルダー
１４：長短針
１５：文字盤
１９：バックプレート
２０：ｏ−リング
２１：可動ホルダー
２２：分離装置
２３：可動部材
２４：力吸収パッド
２５：同心シャフト
２７、２８、２９：リップ
【図１】
0003155568.tif 000003